(57)【要約】  【課題】  簡単な構成で、偏重心或いは偏心等が生じているディスクによるトラバースメカの振動が防止可能な、ディスク記録再生装置を提供する。  【解決手段】  回動軸２ａの外周上で軸受１ａの天井面１ａｂと係合部１ｂの先端面１ｂａとで囲まれた部分に、突起２ａａを設けた構成としている。同図（ａ）に示すディスクアンクランプ時には、軸受１ａの天井面１ａｂとの間及び係合部１ｂの先端面１ｂａとの間に隙間が生じている状態であり、同図（ｂ）に示すディスククランプ時には、回動軸２ａが回転して突起２ａａが係合部１ｂの先端面１ｂａを軽く押圧する状態となる。このとき、回動軸２ａは係合部１ｂの先端面１ｂａからの反作用により、前方に位置する軸受１ａの内側面１ａａと密着するので、これにより、枢着部Ａにおけるベース２の前後方向のガタを無くし、偏重心或いは偏心等が生じているディスクの回転に起因する振動を抑制することができる。【選択図】      図１
2006268994.tif 000002
【特許請求の範囲】
【請求項１】
ディスクを記録或いは再生駆動する駆動部を有するトラバースメカ部と、前記トラバー
スメカ部の一端が枢着部に回動自在に遊嵌されたシャーシとを備え、前記枢着部において
、前記トラバースメカ部の回動軸が前記シャーシの軸受に填め込まれ、これが外れないよ
う係合部により係止されたディスク再生装置であって、
前記回動軸の外周上に突起を設け、ディスククランプ時に前記回動軸が回転して、前記
突起が前記係合部の先端面を押圧し、この反作用により前記回動軸が前記軸受の内側面に
密着するようにしてなることを特徴とするディスク記録再生装置。
【請求項２】
ディスクを記録或いは再生駆動する駆動部を有するトラバースメカ部と、前記トラバー
スメカ部の一端が枢着部に回動自在に遊嵌されたシャーシとを備え、前記枢着部において
、前記トラバースメカ部の回動軸が前記シャーシの軸受に填め込まれ、これが外れないよ
う係合部により係止されたディスク再生装置であって、
前記回動軸の外周上に突起を設け、ディスククランプ時に前記回動軸が回転して、前記
突起が前記係合部の先端面上端の面取り部を押圧し、この反作用により前記回動軸が前記
軸受の内側面及び天井面に密着するようにしてなることを特徴とするディスク記録再生装
置。
【請求項３】
ディスクを記録或いは再生駆動する駆動部を有するトラバースメカ部と、前記トラバー
スメカ部の一端が枢着部に回動自在に遊嵌されたシャーシとを備え、前記枢着部において
、前記トラバースメカ部の回動軸が前記シャーシの軸受に填め込まれたディスク再生装置
であって、
前記回動軸の外周上に突起を設け、ディスククランプ時に前記回動軸が回転して、前記
突起が前記軸受の所定の内面を押圧し、この反作用により前記回動軸が前記軸受の他の内
面に密着するようにしてなることを特徴とするディスク記録再生装置。
【発明の詳細な説明】
【技術分野】
【０００１】
本発明は、ＣＤ，ＤＶＤ等のディスクに対して記録或いは再生を行うディスク記録再生
装置に関するものであり、特に、ディスク回転時等における振動防止構造に関するもので
ある。
【背景技術】
【０００２】
従来より、ディスク記録再生装置として、ディスクを載置したディスクトレイを本体内
に移動させ、本体内に設けたディスクホルダとターンテーブルとの間にディスクをクラン
プして、ディスクに対して記録或いは再生を行うようにしたものが知られている。
【０００３】
図３は、このような従来のディスク記録再生装置の主要部の右側面図である。同図に示
すように、装置内に設けられたシャーシ１の後方に配した枢着部Ａには、ベース２が回動
自在に枢着（遊嵌）されている（いわゆるトラバースメカ）。ベース２には、装置内に移
送された図示しないディスクを回転駆動するターンテーブル３や、図示しないピックアッ
プが配設されている。なお、同図ではターンテーブル３を回転させるスピンドルモータは
図示を省略しており、またベース２の外形は隠れ線も実線で示してある。また、同図はデ
ィスクアンクランプ時の状態を示している。
【０００４】
枢着部Ａにおいては、シャーシ１側に設けられた軸受１ａに対し、ベース２側に設けら
れた回動軸２ａが軸支され、これによりベース２がシャーシ１に対して回動自在に枢支さ
れている。なお１ｂは、回動軸２ａを軸受１ａに填め込んだ際にこの回動軸２ａと係合す
る係合部であり、回動軸２ａが軸受１ａから外れないように係止する働きを持つ。また通
常、シャーシ１及びベース２は、機械的特性が優れた樹脂材料を用いて成型される。ベー
ス２は回動軸２ａを中心に、図示しない駆動手段によりシャーシ１に対して回動駆動され
、ディスクのクランプ及びアンクランプを行う。
【０００５】
図４は、上記従来のディスク記録再生装置の枢着部及びその付近を示す図であり、同図
（ａ）はディスクアンクランプ時の状態、同図（ｂ）はディスククランプ時の状態をそれ
ぞれ示している。同図（ａ）では、ベース２が回動軸２ａを中心に下方に旋回しており、
上記ターンテーブル３はディスククランプ位置から下がった状態となっている。一方、同
図（ｂ）では、（ａ）の状態からベース２が回動軸２ａを中心に上方に旋回して水平状態
となっており、上記ターンテーブル３はディスククランプ位置となっている。
【０００６】
同図に示すように、ベース２の回動軸２ａとシャーシ１の係合部１ｂの先端面１ｂａと
の間には、隙間Ｂが生じる構造となっている。或いは回動軸２ａと軸受１ａの内側面１ａ
ａとの間に隙間Ｂが生じても良い。また、回動軸２ａと軸受１ａの天井面１ａｂとの間に
は、隙間Ｃが生じる構造となっている。なお、回動軸２ａは自重により軸受１ａの底面１
ａｃ上に載っている。つまり、ベース２はシャーシ１に対して、枢着部Ａで前後方向及び
上下方向にガタが生じる構造としている。これは、回動軸２ａと軸受１ａとの嵌合の精度
を上げようとしても、樹脂成型品の寸法管理が困難であり、また温度による回動軸２ａの
膨張を考慮すると、所定の隙間を保っておく方が良いためである。
【０００７】
ところが、偏重心或いは偏心等が生じているディスクをターンテーブル３に載置し、記
録或いは再生状態とした場合、これによりベース２はガタの範囲内で前後方向に、また著
しい場合には上下方向にも振動を発生するために、このベース２に配設された図示しない
ピックアップに振動が伝達され、その影響でディスクに対するデータの書き込み或いは読
み取りが不可能となるおそれがある。
【０００８】
そこで、このような振動を防止可能とした光ディスク再生装置が特許文献１に開示され
ている。具体的には、光ディスクを再生駆動する駆動部を有するトラバースメカ部を載置
したトラバースホルダーと、上記トラバースホルダーの一端が枢着部に回動自在に遊嵌さ
れたメカベースと、上記枢着部を一方向に偏倚する偏倚手段とを具備して成る構成として
いる。
【０００９】
その他、トラバース部分に緩衝材を設けて振動を防止するようにしたディスク装置が種
々開示されている（例えば、特許文献２〜特許文献５参照）。
【特許文献１】特開２００４−１１８９７９号公報
【特許文献２】特開２００２−００８３４５号公報
【特許文献３】特開２００４−１５２３８８号公報
【特許文献４】特開２００４−０７９１０６号公報
【特許文献５】特開２００３−１２３４５６号公報
【発明の開示】
【発明が解決しようとする課題】
【００１０】
しかしながら、上記特許文献１に記載されているような構成では、偏倚手段として圧縮
コイルバネが用いられており、この部品及びその取付機構が別途必要となり、コストアッ
プとなる。また、軸受部を常に押圧するのでこれに負担が掛かり、軸との間で摩耗が発生
するおそれがある上、トラバース動作に余分な駆動力が必要となる。他の特許文献におい
ても、緩衝材という余分な部品が必要であり、同様の問題が発生する。
【００１１】
本発明は、このような問題点に鑑み、簡単な構成で、偏重心或いは偏心等が生じている
ディスクによるトラバースメカの振動が防止可能な、ディスク記録再生装置を提供するこ
とを目的とする。
【課題を解決するための手段】
【００１２】
上記目的を達成するために本発明では、ディスクを記録或いは再生駆動する駆動部を有
するトラバースメカ部と、前記トラバースメカ部の一端が枢着部に回動自在に遊嵌された
シャーシとを備え、前記枢着部において、前記トラバースメカ部の回動軸が前記シャーシ
の軸受に填め込まれたディスク再生装置であって、前記回動軸の外周上に突起を設け、デ
ィスククランプ時に前記回動軸が回転して、前記突起が前記軸受の所定の内面を押圧し、
この反作用により前記回動軸が前記軸受の他の内面に密着するようにしてなることを特徴
とする。
【００１３】
更に詳しくは、ディスクを記録或いは再生駆動する駆動部を有するトラバースメカ部と
、前記トラバースメカ部の一端が枢着部に回動自在に遊嵌されたシャーシとを備え、前記
枢着部において、前記トラバースメカ部の回動軸が前記シャーシの軸受に填め込まれ、こ
れが外れないよう係合部により係止されたディスク再生装置であって、前記回動軸の外周
上に突起を設け、ディスククランプ時に前記回動軸が回転して、前記突起が前記係合部の
先端面を押圧し、この反作用により前記回動軸が前記軸受の内側面に密着するようにして
なることを特徴とする。
【００１４】
或いは、前記回動軸の外周上に突起を設け、ディスククランプ時に前記回動軸が回転し
て、前記突起が前記係合部の先端面上端の面取り部を押圧し、この反作用により前記回動
軸が前記軸受の内側面及び天井面に密着するようにしてなることを特徴とする。
【発明の効果】
【００１５】
本発明によれば、簡単な構成で、偏重心或いは偏心等が生じているディスクによるトラ
バースメカの振動が防止可能な、ディスク記録再生装置を提供することができる。
【００１６】
具体的には、トラバースメカ部の回動軸に突起を設け、これによりディスククランプ時
に回動軸が軸受の内面に密着する構成のみとしたので、余分な部品やその取付機構が不用
であり、軸受部にも負担が掛からず、トラバース動作にも余分な駆動力を要せず、コスト
アップなしでトラバースメカの振動が防止可能となる。
【発明を実施するための最良の形態】
【００１７】
以下、本発明の実施の形態について、図面を参照しながら説明する。なお、本ディスク
記録再生装置の基本構成は、上記図３，図４で示した従来の構成と同様であり、その説明
を適宜省略する。
【実施例１】
【００１８】
図１は、本発明の実施例１に係るディスク記録再生装置の枢着部及びその付近を示す図
であり、同図（ａ）はディスクアンクランプ時の状態、同図（ｂ）はディスククランプ時
の状態をそれぞれ示している。同図（ａ）では、ベース２が回動軸２ａを中心に下方に旋
回しており、上記ターンテーブル３はディスククランプ位置から下がった状態となってい
る。一方、同図（ｂ）では、（ａ）の状態からベース２が回動軸２ａを中心に上方に旋回
して水平状態となっており、上記ターンテーブル３はディスククランプ位置となっている
。
【００１９】
本実施例では、回動軸２ａの外周上で軸受１ａの天井面１ａｂと係合部１ｂの先端面１
ｂａとで囲まれた部分に、側面視山形状の突起２ａａを設けた構成としている。この突起
２ａａの頂点は略直角となっており、同図（ａ）に示すディスクアンクランプ時には、軸
受１ａの天井面１ａｂとの間及び係合部１ｂの先端面１ｂａとの間に隙間が生じている状
態であり、同図（ｂ）に示すディスククランプ時には、回動軸２ａが回転して突起２ａａ
が係合部１ｂの先端面１ｂａを軽く押圧する状態となる。
【００２０】
このとき、回動軸２ａは係合部１ｂの先端面１ｂａからの反作用により、前方に位置す
る軸受１ａの内側面１ａａと密着するので、これにより、枢着部Ａにおけるベース２の前
後方向のガタを無くし、偏重心或いは偏心等が生じているディスクの回転に起因する振動
を抑制することができる。この場合、回動軸２ａの前後部で生じる摩擦力により、枢着部
Ａにおけるベース２の上下方向の振動も或る程度抑えられる。
【実施例２】
【００２１】
図２は、本発明の実施例２に係るディスク記録再生装置の枢着部及びその付近を示す図
であり、同図（ａ）はディスクアンクランプ時の状態、同図（ｂ）はディスククランプ時
の状態をそれぞれ示している。同図（ａ）では、ベース２が回動軸２ａを中心に下方に旋
回しており、上記ターンテーブル３はディスククランプ位置から下がった状態となってい
る。一方、同図（ｂ）では、（ａ）の状態からベース２が回動軸２ａを中心に上方に旋回
して水平状態となっており、上記ターンテーブル３はディスククランプ位置となっている
。
【００２２】
本実施例では、回動軸２ａの外周上で軸受１ａの天井面１ａｂと係合部１ｂの先端面１
ｂａの上端に設けた面取り部１ｂｂとで囲まれた部分に、側面視鉤状の突起２ａｂを設け
た構成としている。この突起２ａｂは、同図（ａ）に示すディスクアンクランプ時には、
軸受１ａの天井面１ａｂとの間及び係合部１ｂの先端面１ｂａの上記面取り部１ｂｂとの
間に隙間が生じている状態であり、同図（ｂ）に示すディスククランプ時には、回動軸２
ａが回転して突起２ａｂが面取り部１ｂｂを軽く押圧する状態となる。
【００２３】
このとき、回動軸２ａは面取り部１ｂｂからの反作用により、軸受１ａの底面１ａｃか
ら浮き上がった状態で、前方に位置する軸受１ａの内側面１ａａ及び上方に位置する軸受
１ａの天井面１ａｂとそれぞれ密着するので、これにより、枢着部Ａにおけるベース２の
前後及び上下方向のガタを無くし、偏重心或いは偏心等が生じているディスクの回転に起
因する振動を抑制することができる。
【００２４】
その他、上記回動軸に突起を設ける代わりに、回動軸の断面形状を円以外の形状、例え
ば楕円形状や卵形、或いはティアドロップ形（涙形）等として、ディスククランプ時に回
動軸が前後方向或いは上下方向に長い状態となり、軸受内面に密着するようにした構成と
しても良い。
【００２５】
なお、上記各実施例のうち何れを採用するかについては、ディスク記録再生時のベース
２の基準位置を軸受１ａの天井面１ａｂとするか底面１ａｃとするかによって変わってく
るものであり、任意に選択可能である。また、特許請求の範囲で言う軸受の内面とは、実
施例における軸受の天井面，内側面，底面，及び係合部の先端面，面取り部を含むもので
ある。
【図面の簡単な説明】
【００２６】
【図１】実施例１に係るディスク記録再生装置の枢着部及びその付近を示す図。
【図２】実施例２に係るディスク記録再生装置の枢着部及びその付近を示す図。
【図３】従来のディスク記録再生装置の主要部の右側面図。
【図４】従来のディスク記録再生装置の枢着部及びその付近を示す図。
【符号の説明】
【００２７】
１    シャーシ
１ａ    軸受
１ａａ    内側面
１ａｂ    天井面
１ａｃ    底面
１ｂ    係合部
１ｂａ    先端面
２    ベース
２ａ    回動軸
２ａａ    突起
２ａｂ    突起
３    ターンテーブル
１ｂｂ    面取り部
Ａ    枢着部
【図１】
2006268994.tif 000003
【図２】
2006268994.tif 000004
【図３】
2006268994.tif 000005
【図４】
2006268994.tif 000006